(57)【要約】【課題】フェライトコア回転角度のばらつきにより、副偏向ヨークが斜めに傾斜して巻かれたり直交する軸に対して非対称に巻かれることにより、投射画像の補正磁力線が非対称となり、投射画像の補正の調整時間がかかったり、補正できなくなるなどの問題を解消できる偏向ヨークを提供することを目的とする。【解決手段】副偏向コイルのフェライトコア巻線部分１４を円弧上の曲面とせず、平面状の部分に巻線することで巻線中のフェライトコア上での銅線のすべりや、巻線機のフェライトコア回転角度のばらつきにより、副偏向コイルが斜めに傾斜して巻かれたり、直交する軸に対して非対称に巻かれることを防ぐ。【選択図】図１
2005332741.tif 000002
【特許請求の範囲】
【請求項１】
一対の水平偏向コイルと一対の垂直偏向コイルからなる主偏向ヨークと、主偏向ヨークの電子銃側後方部に副偏向ヨークを有する偏向ヨークであって、副偏向ヨークのフェライトコア巻線部分が曲面ではなく平面状になるようにした副偏向コイルを装着することを特徴とする偏向ヨーク。
【発明の詳細な説明】
【技術分野】
【０００１】
本発明はブラウン管三管方式投射型受像機、プロジェクター映写機に用いる偏向ヨークに関するものである。
【背景技術】
【０００２】
偏向ヨークは陰極線管（ブラウン管）の電子銃から射出される電子ビームを偏向させ、画面を表示させるものであり、一対の水平偏向コイルと一対の垂直偏向コイルを有している。以下従来の偏向ヨークについて説明する。図５は従来の偏向ヨークの構成を表す分解斜視図、図６は従来の偏向ヨークの動作を表す図、図７は従来の副偏向ヨークが補正している画面歪を表す図、図８は従来の副偏向ヨークの平面図、図９は従来の副偏向ヨークの平面図、図１０は従来の副偏向コイルの斜視図、図１１は従来の副偏向コイルの斜視図、図１２は従来の副偏向コイルの斜視図、図１３は従来の副偏向コイルの平面図、図１４は従来の副偏向コイルの平面図、図１５は従来の副偏向ヨークフェライトコアの平面図、図１６は従来の副偏向ヨークフェライトコアの平面図である。
【０００３】
図５に示すように副偏向ヨーク１は主偏向ヨーク２の電子銃側後端部にとりつけられており、一対のセンタリングマグネット３は副偏向ヨーク１を覆うカバー４に取り付けられている。
【０００４】
カバー４にはさらに金属製の固定バンド５が取り付けられており、この固定バンド５によって偏向ヨークはブラウン管６に固定して使用される。ブラウン管６のガラス管は電子銃側のストレート部分６ａと管面側略円錐形の部分６ｂからなる。
【０００５】
偏向ヨークは図６の偏向ヨークの動作を表す図に示すように、ブラウン管６に取り付けられブラウン管の管面上に画像を作る水平及び垂直偏向磁界を形成している。投射型受像機やプロジェクター映写機においては、ブラウン管の管面に設けた複数枚（図６においては１枚のみ記載）のレンズ７によって画像を拡大しスクリーン８上に画像９を投影している。
【０００６】
投射型受像機及びプロジェクター映写機は赤、緑、青の３色のブラウン管を配置し３つの画像をスクリーン上で重ねて、カラー映像を得るものであるので、異なる角度から３つの画像をズレなく重ね合わせるために、画像の位置補正や図７の副偏向ヨークが補正している画面歪みを表す図に示すような画像のピンクッション歪みの補正を行う副偏向コイルを設けて３色の画像を一致させている（特許文献１）。
【０００７】
従来の副偏向ヨークは図８、図９に示すようにリング状の副偏向ヨークのフェライトコア１０にトロイダル状に巻線された水平副偏向コイル１１、垂直副偏向コイル１２からなっている。１３はブラウン管のガラス管である。
【０００８】
副偏向ヨークの巻線は図１０に示すように円形の副偏向ヨークのフェライトコア１０にそのまま銅線を巻く方法と、図１１に示すように副偏向ヨークのフェライトコア１０を半円状に分割し、巻線後接着剤等で円形に接着する方法がある（例えば特許文献２）。
【特許文献１】実開昭６３−９５１６０号公報
【特許文献２】特開平３−２５７７４２号公報
【発明の開示】
【発明が解決しようとする課題】
【０００９】
上記従来の偏向ヨークでは副偏向コイルの銅線は図１２、図１３の副偏向ヨークのフェライトコア１０のように円弧上の部分に巻線されており、巻線中の副偏向ヨークのフェライトコア１０上での銅線のすべりや、巻線機のフェライトコア回転角度のばらつきにより、図１２、図１３、図１４に示すように水平副偏向コイル１１と垂直副偏向コイル１２が斜めに傾斜して巻かれたり、直交する軸に対して非対称に巻かれることがあった。このような巻線をされた副偏向ヨークは投射画像の補正磁力線も非対称となり、投射画像の補正の調整時間がかかったり、補正できなくなるなどの問題を有していた。
【課題を解決するための手段】
【００１０】
これらの課題を解決するために、本発明の偏向ヨークは副偏向コイルのフェライトコア巻線部分を円弧上の曲面とせず、平面状の部分に巻線する構造とした。
【発明の効果】
【００１１】
本発明の偏向ヨークは、副偏向コイルのフェライトコア巻線部分を円弧上の曲面とせず、平面状の部分に巻線することで巻線中のフェライトコア上での銅線のすべりや、巻線機のフェライトコア回転角度のばらつきにより、副偏向コイルが斜めに傾斜して巻かれたり、直交する軸に対して非対称に巻かれることを防ぐことができる。
【発明を実施するための最良の形態】
【００１２】
請求項１記載の本発明は、一対の水平偏向コイルと一対の垂直偏向コイルからなる主偏向ヨークと、主偏向ヨークの電子銃側後方部に副偏向ヨークを有する偏向ヨークであって、副偏向ヨークのフェライトコア巻線部分が曲面ではなく平面状になるようにした副偏向コイルを装着するようにした。
【００１３】
図１は本発明の一実施の形態における副偏向ヨークフェライトコアの平面図、図２は本発明の一実施の形態における副偏向ヨークフェライトコアの巻線図、図３は本発明の一実施の形態における副偏向ヨークフェライトコアの平面図、図４は本発明の一実施の形態における副偏向ヨークフェライトコアの平面図である。
【００１４】
図１および図２に示すように副偏向ヨークフェライトコアの巻線部分１４は円弧上の曲面とならず平面状としている。
【００１５】
水平副偏向コイル１１の巻線を例に説明すると、水平副偏向コイル１１の巻線部分は従来、図１５の１６に示すように１箇所の凸部１７をはさんで設けた２箇所の凹部１６に巻線して水平副偏向コイル１１の右側コイルを形成する構造で、左側にも同様に１箇所の凸部１７を挟んで設けた２箇所の凹部１６に巻線する構造としている。
【００１６】
図１５に示すように従来の副偏向ヨークフェライトコアの巻線部分である凹部１６は円弧状の曲面であり、銅線を巻線する場合には図１６の巻き始め位置１８から巻き終わり位置１９まで巻線する間に２０で示す角度だけ巻線の回転角度を変化させる必要があり、巻線中のフェライトコア上での銅線のすべりや、巻線機のフェライトコア回転角度のばらつきにより、副偏向コイルが斜めに傾斜して巻かれたりし易かった。
【００１７】
これに対し、本実施の形態における副偏向ヨークフェライトコアは図３に示すように１箇所の凸部１５をはさんで設けた２箇所の巻線部分である凹部１４を設けているが、凹部１４の低面は円弧状ではなく平面になっており、図４に示すように巻き始め位置２１から巻き終わり位置２２まで巻線の回転角度は同一であり巻線位置のみ変化させることで対称な位置に容易に水平副偏向コイル１１を巻線することが出来る。
【００１８】
また、従来の副偏向ヨークフェライトコアの寸法は図９に示すように内径３１ｍｍ、外
径４２ｍｍであったが本実施の形態の副偏向ヨークフェライトコアは図１に示すように内径３１ｍｍ、外径寸法４２ｍｍと従来コアの寸法とほぼ同一にできており、偏向ヨーク全体の外径寸法を大きくすることはない。
【産業上の利用可能性】
【００１９】
以上のように本発明は、副偏向コイルのフェライトコア巻線部分を円弧上の曲面とせず、平面状の部分に巻線することで巻線中のフェライトコア上での銅線のすべりや、巻線機のフェライトコア回転角度のばらつきにより、副偏向コイルが斜めに傾斜して巻かれたり、直交する軸に対して非対称に巻かれることを防ぐことができ、ブラウン管三管方式投射型受像機、プロジェクター映写機に用いる偏向ヨークとして特に有用である。
【図面の簡単な説明】
【００２０】
【図１】本発明の一実施の形態における副偏向ヨークフェライトコアの平面図
【図２】本発明の一実施の形態における副偏向ヨークフェライトコアの巻線図
【図３】本発明の一実施の形態における副偏向ヨークフェライトコアの平面図
【図４】本発明の一実施の形態における副偏向ヨークフェライトコアの平面図
【図５】従来の偏向ヨークの構成を表す分解斜視図
【図６】従来の偏向ヨークの動作を表す図
【図７】従来の副偏向ヨークが補正している画面歪を表す図
【図８】従来の副偏向ヨークの平面図
【図９】従来の副偏向ヨークの平面図
【図１０】従来の副偏向コイルの斜視図
【図１１】従来の副偏向コイルの斜視図
【図１２】従来の副偏向コイルの斜視図
【図１３】従来の副偏向コイルの平面図
【図１４】従来の副偏向コイルの平面図
【図１５】従来の副偏向ヨークフェライトコアの平面図
【図１６】従来の副偏向ヨークフェライトコアの平面図
【符号の説明】
【００２１】
１    副偏向ヨーク
２    主偏向ヨーク
３    センタリングマグネット
４    カバー
５    固定バンド
６    ブラウン管
７    レンズ
８    スクリーン
９    画像
１０    副偏向ヨークのフェライトコア
１１    水平副偏向コイル
１２    垂直副偏向コイル
１３    ブラウン管のガラス管
１４    巻線部分
【図１】
2005332741.tif 000003
【図２】
2005332741.tif 000004
【図３】
2005332741.tif 000005
【図４】
2005332741.tif 000006
【図５】
2005332741.tif 000007
【図６】
2005332741.tif 000008
【図７】
2005332741.tif 000009
【図８】
2005332741.tif 000010
【図９】
2005332741.tif 000011
【図１０】
2005332741.tif 000012
【図１１】
2005332741.tif 000013
【図１２】
2005332741.tif 000014
【図１３】
2005332741.tif 000015
【図１４】
2005332741.tif 000016
【図１５】
2005332741.tif 000017
【図１６】
2005332741.tif 000018